(57)【要約】      （修正有）【課題】短冊を容易に追加できる風鈴、及び風鈴を含む構造体を提供する。【解決手段】開口を下端に備えた釣鐘１２と、開口を通過して下方に延びる紐１３と、開口の縁部又は釣鐘の内面に対向するように紐に結合された舌体と、紐の下端に取り付けられる短冊１５とを有する風鈴１０であって、短冊は貫通孔を含み、紐の下端には、短冊を紐に累次追加して取り付けるべく貫通孔に挿通される止め具２２が設けられている。【選択図】図１
0003217915.tif 000002
【実用新案登録請求の範囲】
【請求項１】
開口を下端に備えた釣鐘と、
前記開口を通過して下方に延びる紐と、
前記開口の縁部又は前記釣鐘の内面に対向するように前記紐に結合された舌体と、
前記紐の下端に取り付けられる短冊とを有する風鈴であって、
前記短冊は貫通孔を含み、
前記紐の下端には、前記短冊を前記紐に累次追加して取り付けるべく前記貫通孔に挿通される止め具が設けられていることを特徴とする風鈴。
【請求項２】
前記貫通孔が円形又は正方形をなすことを特徴とする請求項１に記載の風鈴。
【請求項３】
前記貫通孔が長円形又は長方形をなすことを特徴とする請求項１に記載の風鈴。
【請求項４】
前記止め具は長方形の板状をなし、前記貫通孔の最大径が前記長方形の短辺よりも大きく、前記長方形の長辺よりも小さいことを特徴とする請求項１〜請求項３のいずれか一項に記載の風鈴。
【請求項５】
前記止め具は１対の長方形の板状体を含み、
前記１対の板状体はそれぞれ中央部において、同一主面上で互いに交差して結合され、
前記紐の前記下端が、前記１対の板状体の前記中央部のそれぞれに結合されていることを特徴とする請求項１〜請求項３のいずれか一項に記載の風鈴。
【請求項６】
前記止め具は中央部にて谷折りされた板状の弾性部材を含み、前記紐の前記下端が、前記弾性部材の中央部の谷側に結合されていることを特徴とする請求項１〜請求項３のいずれか一項に記載の風鈴。
【請求項７】
前記止め具は、前記弾性部材の中央部の谷側から延出する脚片を有し、前記紐の前記下端が、前記脚片の延出端に結合されていることを特徴とする請求項６に記載の風鈴。
【請求項８】
前後及び左右に並んで立設された少なくとも４つの支柱と、
前後に並ぶ支柱の上部を互いに接続し、前後に延在する左右一対の梁と、
前記梁の下方に設けられ、前後に並ぶ支柱を互いに接続する左右一対の柱体と、
前記梁又は前記柱体の少なくとも一方に吊り下げられた複数の風鈴とを有し、
前記風鈴は、開口を下端に備えた釣鐘と、前記開口を通過して下方に延びる紐と、前記開口の縁部又は前記釣鐘の内面に対向するように前記紐に結合された舌体と、前記紐の下端に取り付けられる短冊とを有し、
前記短冊は貫通孔を含み、前記紐の下端には、前記短冊を前記紐に累次追加して取り付けるべく前記貫通孔に挿通される止め具が設けられていることを特徴とする構造体。
【請求項９】
前記柱体の少なくとも１つは地面からの高さが１００ｃｍ以上１５０ｃｍ以下に配置され、当該柱体に前記風鈴が吊り下げられていることを特徴とする請求項８に記載の構造体。
【考案の詳細な説明】
【技術分野】
【０００１】
本考案は、風鈴、及び風鈴を含む構造体に関する。
【背景技術】
【０００２】
各種願い事を記入して、神社や寺院に奉納するための絵馬が知られている（例えば、特許文献１）。絵馬は上部が山形をなす略五角形状の木製の薄板によって形成されている。その上部中央には、絵馬堂等の所定の奉納場所に吊り下げるための紐が取付けられている。
【０００３】
七夕飾りの一つに、各種願い事を記入するための短冊が知られている（例えば、特許文献２）。短冊はその上部に小さな丸孔を有し、その丸孔に通された紐を介して、笹に吊り下げられる。
【０００４】
同様に短冊が吊り下げられたものに風鈴がある（例えば、特許文献３）。風鈴は、金属・陶器・ガラスなどで形成された釣鐘と、糸などを介して釣鐘の内部に吊り下げられた舌体とを有している。短冊には上部に小さな丸孔が形成され、その丸孔に結び付けられた紐によって、短冊は釣鐘に吊り下げられている。
【先行技術文献】
【特許文献】
【０００５】
【特許文献１】特開平９−５６５７０号公報
【特許文献２】実用新案登録第３１８３９２５号公報
【特許文献３】実願平７−５００４号公報
【考案の概要】
【考案が解決しようとする課題】
【０００６】
絵馬と同様に奉納場所に風鈴を設け、その風鈴に七夕飾りの短冊と同様に願い事を記入した短冊を吊り下げることによって、神社や寺院に短冊を奉納することが考えられる。しかし、従来の風鈴では、短冊は紐に結び付けられているため、風鈴に短冊を追加することが難しい。
【０００７】
本考案は、以上の背景を鑑み、風鈴、及び風鈴を含む構造体において、短冊を容易に追加できるようにすることを課題とする。
【課題を解決するための手段】
【０００８】
上記課題を解決するために本考案のある態様は、開口（１１）を下端に備えた釣鐘（１２）と、前記開口を通過して下方に延びる紐（１３）と、前記開口の縁部又は前記釣鐘の内面に対向するように前記紐に結合された舌体（１４）と、前記紐の下端に取り付けられる短冊（１５）とを有する風鈴（１０、３０、４０、５０、６０）であって、前記短冊は貫通孔（２４、３１、６２）を含み、前記紐の下端には、前記短冊を前記紐に累次追加して取り付けるべく前記貫通孔に挿通される止め具（２２、４１、５１、６１）が設けられていることを特徴とする。
【０００９】
この構成によれば、止め具を短冊の貫通孔に挿通させることによって、短冊を紐に累次追加して取り付けることができる。これにより、風鈴に短冊を容易に追加することができる。
【００１０】
上記の態様において、前記貫通孔（２４）が円形又は正方形をなすとよい。
【００１１】
この構成によれば、貫通孔を容易に形成することができる。
【００１２】
上記の態様において、前記貫通孔（３１）が長円形又は長方形をなすとよい。
【００１３】
この構成によれば、止め具が貫通孔を通過し難くなるため、短冊が紐から外れ難くなる。
【００１４】
上記の態様において、前記止め具は長方形の板状をなし、前記貫通孔の最大径が前記長方形の短辺よりも大きく、前記長方形の長辺よりも小さいとよい。
【００１５】
この構成によれば、止め具を短辺側から貫通孔に挿通させることができる。また、止め具の長辺が貫通孔の最大径よりも大きいため、短冊を紐に吊り下げることができる。
【００１６】
上記の態様において、前記止め具（４１）は１対の長方形の板状体（４２）を含み、前記１対の板状体はそれぞれ中央部において、同一主面上で互いに交差して結合され、前記紐の前記下端が、前記１対の板状体の前記中央部のそれぞれに結合されているとよい。
【００１７】
この構成によれば、止め具が貫通孔を通過し難くなるため、短冊が紐から外れ難くなる。
【００１８】
上記の態様において、前記止め具（５１、６１）は中央部にて谷折りされた板状の弾性部材を含み、前記紐の前記下端が、前記弾性部材の中央部の谷側に結合されているとよい。
【００１９】
この構成によれば、止め具を孔に挿通させるときに、中央部の折り目の山側を貫通孔に挿入すると、弾性部材が貫通孔の縁部に押圧されて折り畳まれる。これにより、止め具が貫通孔に挿通し易くなる。止め具を挿通させた後に、弾性部材が開かれて、止め具が貫通孔を通過し難くなるため、短冊が紐から外れ難くなる。
【００２０】
上記の態様において、前記止め具（６１）は、前記弾性部材の中央部の谷側から延出する脚片（６４）を有し、前記紐の前記下端が、前記脚片の延出端（６５）に結合されているとよい。
【００２１】
この構成によれば、脚片が貫通孔に挿通された状態で短冊が吊り下げられるため、短冊を吊り下げ後に、弾性部材の中央部の山側が貫通孔に挿入されて、止め具が孔から離脱することを防止することができる。これにより、短冊が紐から外れ難くなる。
【００２２】
上記課題を解決するために本考案のある態様は、前後及び左右に並んで立設された少なくとも４つの支柱（２）と、前後に並ぶ支柱の上部を互いに接続し、前後に延在する左右一対の梁（３）と、前記梁の下方に設けられ、前後に並ぶ支柱を互いに接続する左右一対の柱体（４）と、前記梁又は前記柱体の少なくとも一方に吊り下げられた複数の風鈴（１０）とを有し、前記風鈴は、開口を下端に備えた釣鐘（１２）と、前記開口を通過して下方に延びる紐（１３）と、前記開口の縁部又は前記釣鐘の内面に対向するように前記紐に結合された舌体（１４）と、前記紐の下端に取り付けられる短冊（１５）とを有し、前記短冊は貫通孔（２４）を含み、前記紐の下端には、前記短冊を前記紐に累次追加して取り付けるべく前記貫通孔に挿通される止め具（２２）が設けられていることを特徴とする。
【００２３】
この構成によれば、梁よりも下側に柱体が設けられ、その柱体に風鈴が設けられる。そのため、風鈴が梁に設けられる場合よりも下方に位置するため、背丈の小さい参拝者にとって短冊を容易に追加することができる。
【００２４】
上記の態様において、前記柱体の少なくとも１つは地面からの高さが１００ｃｍ以上１５０ｃｍ以下に配置され、当該柱体に前記風鈴が吊り下げられているとよい。
【００２５】
この構成によれば、背丈の小さい参拝者にとって短冊を容易に追加することができる。
【考案の効果】
【００２６】
以上の構成によれば、風鈴、及び風鈴を含む構造体において、短冊を容易に追加できる。
【図面の簡単な説明】
【００２７】
【図１】第１実施形態に係る風鈴を含む構造体の斜視図
【図２】第１実施形態に係る風鈴の斜視図
【図３】第１実施形態に係る風鈴の止め具、及び短冊の上部の拡大図
【図４】（Ａ）第２実施形態、（Ｂ）第３実施形態、及び（Ｃ）第４実施形態に係る風鈴の止め具、及び短冊の上部の拡大図
【図５】第５実施形態に係る風鈴の止め具、及び短冊の上部の拡大図
【考案を実施するための形態】
【００２８】
以下、本考案に係る風鈴、及び風鈴を含む構造体について説明する。
【００２９】
＜＜第１実施形態＞＞
構造体１は神社の屋外に設けられ、図１に示すように、地面に前後及び左右に並んで立設された少なくとも４つの支柱２と、前後に延在し、前後に並ぶ支柱２の上端を互いに接続する左右一対の縦梁３と、縦梁３の下方において前後に延在し、前後に並ぶ支柱２をそれぞれ接続する左右一対の縦柱体４と、左右に延び、左右に並ぶ支柱２の上端を互いに接続する前後一対の横梁５とを備えている。
【００３０】
支柱２はそれぞれ上下に延びる柱状をなしている。４つの支柱２の長さは概ね等しく、支柱２はそれぞれ概ね２ｍ程度の長さを有しているとよい。
【００３１】
縦梁３はそれぞれ前後に延びる柱状をなしている。縦梁３の前端及び後端はそれぞれ左右に延びる横梁５によって接続されている。これにより、構造体１は略門型をなしている。
【００３２】
縦柱体４はそれぞれ上下に配置された角柱状の上柱体６及び下柱体７を含んでいる。上柱体６及び下柱体７はそれぞれ前後に延在し、前後に並ぶ支柱２をそれぞれ接続している。上柱体６及び下柱体７はそれぞれ、上面及び下面が略水平となるように配置されるとよい。上柱体６はその下面が地面からの高さが１００ｃｍ以上１５０ｃｍ以下となるように設けられることが好ましい。
【００３３】
本実施形態では、左右一対の縦梁３はそれぞれ左右に延在する横柱体８によって接続されている。横柱体８はそれぞれ角柱状をなし、両端においてそれぞれ縦梁３に結合されている。
【００３４】
構造体１は、左右の縦梁３、左右の上柱体６、及び横柱体８にそれぞれ吊り下げられた複数の風鈴１０を含んでいる。風鈴１０はそれぞれ、縦梁３に前後に略等間隔に吊り下げられ、上柱体６に前後に略等間隔に吊り下げられ、横柱体８に左右に略等間隔に吊り下げられている。
【００３５】
左右の縦梁３、左右の上柱体６、及び横柱体８に吊り下げられた風鈴１０は、それぞれ同様の態様をなす。以下では、上柱体６に吊り下げられた風鈴１０について説明を行う。
【００３６】
図２に示すように、風鈴１０は下端に開口１１を備えた椀型の釣鐘１２と、開口１１を通過して下方に延びる紐１３と、開口１１の縁部に対向する位置において紐１３に結合された舌体１４と、紐１３の下端に結合された複数の短冊１５とを有している。
【００３７】
釣鐘１２は金属、陶器、又はガラスによって形成されている。本実施形態では、釣鐘１２の上部には上下に貫通する貫通孔１７が設けられている。
【００３８】
紐１３は上端において上柱体６の下面に結合され、貫通孔１７を介して釣鐘１２の内部に達している。紐１３には貫通孔１７の上側及び下側に対応する位置にそれぞれ第１係止部材１８が設けられている。第１係止部材１８によって釣鐘１２はその上下動を規制され、釣鐘１２は紐１３の上部に結合される。これにより、釣鐘１２は上柱体６に紐１３によって吊り下げられている。
【００３９】
紐１３は更に、釣鐘１２の内部から開口１１を通過し、下方に延びている。紐１３には更に開口１１の下側に対応する位置に、第２係止部材２０が設けられている。舌体１４は樹脂製の筒状部材であり、第２係止部材２０の上方において紐１３に通されている。舌体１４は第２係止部材２０によって下方への移動が規制され、釣鐘１２の内部において紐１３によって上柱体６に吊り下げられている。本実施形態では、舌体１４は樹脂製であるが、樹脂製には限定されず、金属、ガラス、木材等の材料によって形成されていてもよい。但し、構造体１に設けられる風鈴１０の数を増やしつつ、風鈴１０によって発生する音を抑えるため、舌体１４は樹脂製であることが望ましい。また、舌体１４は釣鐘１２に紐１３によって直接吊り下げられていてもよい。
【００４０】
図３に示すように、紐１３の下端には、止め具２２が設けられている。止め具２２は木製の長方形の板状をなしている。本実施形態では、止め具２２の長辺は２ｃｍ以上３ｃｍ以下であり、短辺は３ｍｍ以上５ｍｍ以下であり、その厚さは０．２ｍｍ以上３ｍｍ以下に設定されている。
【００４１】
止め具２２の略中央部分には貫通孔２３が設けられている。その貫通孔２３には紐１３の下端側に通され、紐１３の下端は玉結び（団子結び）されている。これにより、止め具２２は紐１３から離脱せず、紐１３に吊り下げられて結合されている。本実施形態では、止め具は木製の板材によって形成されているがこの態様には限定されず、樹脂や金属等によって構成されていてもよい。止め具２２は、上柱体６の下面から１５ｃｍ以上３０ｃｍ以下に配置されることが好ましく、本実施形態では止め具２２は上柱体６の下面から概ね２０ｃｍ下方に吊り下げられている。
【００４２】
短冊１５は上下に延びる長方形の板状の部材であり、本実施形態では木材によって形成されている。短冊１５は、その変形や破損を防止するため、十分な厚さを有することが好ましく、短冊１５の厚さは０．５ｍｍ以上であることが好ましい。また、短冊１５は風によって揺動し、釣鐘１２を鳴らすことのできる程度の重さであることが好ましく、短冊１５を軽量にするため、短冊１５の厚さは５ｍｍ以下であるとよい。また、短冊１５によって十分に風を受け止めることができるように、短冊１５の長辺を１０ｃｍ以上２０ｃｍ以下とし、短辺を３ｃｍ以上５ｃｍ以下に設定することが好ましい。短冊１５は乾燥による変形を防止するため、柾目板であるとよい。また、短冊１５は紙又は樹脂によって形成されてもよい。但し、焚き上げることができるように、短冊１５は可燃性であることが好ましい。
【００４３】
短冊１５はその上端に厚さ方向に貫通する円形の貫通孔２４を１つ含んでいる。貫通孔２４の径は止め具２２の短辺よりも大きく、止め具２２の長辺よりも小さい。本実施形態では貫通孔２４の径は、６ｍｍ以上１０ｍｍ以下に設定されている。
【００４４】
次に、風鈴１０、及び風鈴１０を含む構造体１の効果について説明する。参拝者は短冊１５の主面１５Ａに願い事を記入した後、止め具２２を短辺側の端面から貫通孔２４に挿通させることができる。また、止め具２２の長辺が貫通孔２４の径よりも大きいため、止め具２２を挿通させた後に、短冊１５が紐１３から外れることなく、短冊１５を紐１３に吊り下げることができる。
【００４５】
別の参拝者が別の短冊１５に願い事を記入した後、その短冊１５を吊り下げるときには、同様に、止め具２２の短辺側の端面をその短冊１５の貫通孔２４に挿通させればよい。これにより、短冊１５を紐１３に累次追加して紐１３に支持させて、紐１３に吊り下げることができる。これにより、参拝者は風鈴１０に短冊１５を追加することができる。
【００４６】
奉納場所が一杯になると、絵馬は一般に、お祓いのうえ、焚き上げされる。奉納場所が一杯になり、焚き上げするときには、釣鐘１２は金属・陶器・ガラスなどの不燃性であるため、短冊１５と釣鐘１２とを分離する必要がある。本実施形態では、止め具２２の短辺側の端面を貫通孔２４に挿通させることによって、短冊１５と釣鐘１２とを容易に分離することができる。これにより、短冊１５を回収し、焚き上げることができる。
【００４７】
短冊１５に設けられる貫通孔２４は円形であるため、貫通孔２４を容易に形成することができる。
【００４８】
図１に示すように、縦梁３よりも下側に位置する上柱体６に風鈴１０が吊り下げられている。これにより、縦梁３にのみ風鈴１０が吊り下げられる場合に比べて、背丈の小さい参拝者にとっても、短冊１５を追加することが容易になる。
【００４９】
上柱体６の下面は地面から１００ｃｍ以上１５０ｃｍ以下の高さにあり、止め具２２はその下面から１５ｃｍ以上３０ｃｍ以下に吊り下げられている。そのため、止め具２２は地面からの高さが７０ｃｍ以上１３５ｃｍ以下となるため、背丈の小さい参拝者（例えば、１２０ｃｍ程度の身長の参拝者）にとっても、短冊１５を容易に追加することができる。
【００５０】
＜＜第２実施形態＞＞
第２実施形態に係る風鈴３０、及び風鈴３０を含む構造体１は、図４（Ａ）に示すように、第１実施形態に比べて、短冊１５に設けられた貫通孔３１の形状のみが異なるため、他の部分については説明を省略する。貫通孔３１は短辺に沿って延びる長方形状をなしている。止め具２２は第１実施形態と同様に長方形の板状をなし、貫通孔３１の長辺は止め具２２の短辺よりも長く、止め具２２の長辺よりも短い。また、貫通孔３１の短辺の長さは止め具２２の厚さよりも大きい。止め具２２を、その主面が貫通孔３１の長辺と平行となるように配置して、短辺側の端面から貫通孔３１に挿通させることによって、短冊１５を紐１３に吊り下げることができる。
【００５１】
次にこのように構成された風鈴３０、及び風鈴３０を含む構造体１の効果について説明する。貫通孔３１を長方形状にすることによって、止め具２２はその主面が貫通孔３１の長辺と平行となるように配置されたときに、貫通孔３１に通過可能となる。そのため、第１実施形態に比べて、止め具２２は貫通孔３１を通過し難くなり、短冊１５が紐１３から外れ難くなる。
【００５２】
＜＜第３実施形態＞＞
第３実施形態に係る風鈴４０、及び風鈴１０を含む構造体１は、図４（Ｂ）に示すように、第２実施形態に比べて、止め具４１の構造のみが異なるため、他の部分については説明を省略する。止め具４１は１対の長方形の板状体４２を含んでいる。１対の板状体４２はそれぞれ中央部において、同一主面上で互いに交差して結合され、止め具４１は略十字状をなしている。
【００５３】
１対の板状体４２の中央部には互いに同軸上に形成された貫通孔４３がそれぞれ設けられている。紐１３の下端は２枚の板状体４２の貫通孔４３をそれぞれ通過し、その端部が玉結びされることによって、紐１３と止め具４１とは互いに結合されている。止め具４１をその主面が貫通孔３１の長辺方向に平行となるように配置して、貫通孔３１に挿通させることによって、短冊１５を紐１３に吊り下げることができる。
【００５４】
次にこのように構成された風鈴４０、及び風鈴４０を含む構造体１の効果について説明する。このように構成することによって、止め具４１が第１実施形態及び第２実施形態に比べて、貫通孔３１を通過し難くなるため、短冊１５が紐１３から外れ難くなる。
【００５５】
＜＜第４実施形態＞＞
第４実施形態に係る風鈴５０、及び風鈴５０を含む構造体１は、図４（Ｃ）に示すように、第２実施形態に比べて、止め具５１の構造のみが異なるため、他の部分については説明を省略する。止め具５１はプラスチック等の樹脂製の部材であり、長方形状の弾性変形可能な板状部材（弾性部材）によって形成されている。止め具５１は中央部において、短辺に平行に谷折りされている。止め具５１の中央部には貫通孔５２が設けられ、紐１３の下端はその貫通孔５２に谷側の面から山側の面に通されて、その端部において玉結びされている。これにより、紐１３の下端は止め具５１の中央部であって、その谷側に折り曲げられた部分に結合されている。また、短冊１５の貫通孔３１の長辺の長さＸは、折り曲げ荷重が加えられていない状態での止め具５１の短辺間の距離Ｙよりも大きい。
【００５６】
次にこのように構成された風鈴５０、及び風鈴５０を含む構造体１の効果について説明する。止め具５１の中央部の山側を貫通孔３１に挿入すると、止め具５１が貫通孔３１の縁部に押圧されて折り畳まれる。これにより、止め具５１を貫通孔３１に挿通させ易くなる。止め具５１が貫通孔３１を通過すると、弾性変形して、止め具５１が開かれる。これによって、止め具５１が貫通孔３１を通過し難くなり、短冊１５が紐１３から外れ難くなる。
【００５７】
＜＜第５実施形態＞＞
第５実施形態に係る風鈴６０、及び風鈴６０を含む構造体１は、図５に示すように、第４実施形態に比べて、止め具６１の構造及び貫通孔６２の長辺の長さのみが異なるため、他の部分については説明を省略する。止め具６１は長方形状をなす弾性変形可能な板状部材６３（弾性部材）と、板状部材６３の中央部に結合された脚片６４とを有している。板状部材６３は、その短辺に略平行に中央部において谷折りされ、脚片６４は中央部の谷側の面から板状部材６３から離れる方向に延出している。脚片６４の延出端６５には貫通孔が設けられ、紐１３の下端はその貫通孔に通されて、その端部が玉結びされることによって、脚片６４の延出端６５に結合されている。
【００５８】
貫通孔６２の長辺の長さＺは、折り曲げ荷重が加えられていない状態での板状部材６３の短辺間の距離Ｕよりも小さい。また、本実施形態では、貫通孔６２の長辺は第４実施形態よりも短くなるように設定されている。
【００５９】
次にこのように構成された風鈴６０、及び風鈴６０を含む構造体１の効果について説明する。板状部材６３の中央部の山側を貫通孔６２に挿入すると、板状部材６３が貫通孔６２の縁部に押圧されて折り畳まれる。これにより、止め具６１を貫通孔６２に挿通させ易くなる。止め具６１が貫通孔６２を通過すると、板状部材６３が弾性変形して開かれる。これによって、止め具５１が貫通孔６２を通過し難くなり、短冊１５が紐１３から外れ難くなる。
【００６０】
第５実施形態における止め具６１は脚片６４が設けられているため、脚片６４が貫通孔６２に挿通された状態で短冊１５が吊り下げられる。そのため、第４実施形態に比べて、短冊１５が吊り下げられた後に、板状部材６３の中央部の山側が貫通孔６２に挿入され難い。これにより、止め具６１が貫通孔６２から離脱することを防止することができるため、短冊１５が紐１３から外れ難くなる。
【００６１】
以上で具体的実施形態の説明を終えるが、このような具体的実施形態により限定されるものではなく、本考案の趣旨を逸脱しない範囲で適宜変更可能である。例えば、第１実施形態において、貫通孔２４は円形をなしていたが、正方形状であってもよい。このとき、貫通孔の最大径（対角線の長さ）は、止め具２２の短辺よりも大きく、止め具２２の長辺よりも小さい。これにより、止め具２２を短辺側から貫通孔２４に挿通させることによって、短冊１５を紐１３に吊り下げることができ、止め具２２の長辺が貫通孔２４の最大径よりも大きいため、短冊１５を紐１３に吊り下げることができる。
【００６２】
また、第２実施形態において、貫通孔３１は長方形状であったが、長円形状であってもよい。このときも同様に、貫通孔３１の最大径（対角線の長さ）は止め具２２の短辺よりも大きく、止め具２２の長辺よりも小さい。貫通孔３１を短冊１５の短辺と略平行に延びる長円形状にすることによって、止め具２２はその主面が短冊１５の短辺に略平行となるように配置したときに貫通孔３１に通過可能となる。そのため、貫通孔３１を円形とする場合に比べて、止め具２２が貫通孔３１を通過し難くなるため、短冊１５が紐１３から外れ難くなる。
【００６３】
第４実施形態において、紐１３の下端は貫通孔５２に通されて、その端部において玉結びされることによって、止め具５１の中央部であって、その谷側に折り曲げられた部分に結合されていたが、この態様には限定されない。例えば、紐１３の下端は、接着剤等によって、止め具５１の中央部であって、その谷側に折り曲げられた部分に結合されていてもよい。
【００６４】
上記各実施形態において、舌体１４は釣鐘１２の開口１１に対向する位置に設けられていたが、この態様には限定されない。舌体１４が短冊１５に当たる風によって揺動し、釣鐘１２に衝突して風鈴１０が鳴る態様であればよく、例えば、舌体１４は釣鐘１２の内面に対向する位置に設けられていてもよい。
【００６５】
上記各実施形態において、構造体１には左右の縦梁３の下側それぞれに、上柱体６及び下柱体７の２つの縦柱体４が設けられていたが、左右の縦梁３の下側それぞれに、１つ以上の縦柱体４が設けられる態様であればよく、例えば、左右の縦梁３の下側それぞれに３つ縦柱体４が設けられる態様であってもよい。
【００６６】
上記各実施形態において、構造体１は神社の屋外に設けられていたが、この態様には限定されず、構造体１は神社の屋内に設けられてもよい。また、構造体１は寺院、公園、遊園地、ホテル、旅館等の屋外又は屋内に設けられていてもよい。
【符号の説明】
【００６７】
１      ：構造体
２      ：支柱
３      ：縦梁
４      ：縦柱体
１０    ：第１実施形態に係る風鈴
１１    ：開口
１２    ：釣鐘
１３    ：紐
１４    ：舌体
１５    ：短冊
２２    ：止め具
２４    ：貫通孔
３０    ：第２実施形態に係る風鈴
３１    ：貫通孔
４０    ：第３実施形態に係る風鈴
４１    ：止め具
４２    ：板状体
４３    ：貫通孔
５０    ：第４実施形態に係る風鈴
５１    ：止め具
６０    ：第５実施形態に係る風鈴
６１    ：止め具
６２    ：貫通孔
６３    ：板状部材
６４    ：脚片
６５    ：延出端
【図１】
0003217915.tif 000003
【図２】
0003217915.tif 000004
【図３】
0003217915.tif 000005
【図４】
0003217915.tif 000006
【図５】
0003217915.tif 000007